(57)【要約】      （修正有）【課題】ゴングでハンマーを打撃する際の、ハンマーのはね返りで生じる望ましくない雑音を除去する計時器打撃機構を提供する。【解決手段】少なくとも１つのハンマー１を制御する機構を備えている計時器打撃機構であって、ハンマー１は、第１の打撃領域２を有し、少なくとも１つのハンマー１がはね返り位置から第１の衝突位置に動くときに、第１の打撃面３０上の第１の反響部品３を第１の移動方向に打撃するように構成され、ハンマー１は、第１の打撃領域２の反対側に、ハンマー１が第１の衝突位置からはね返り位置にはね返るときに、第１の反響部品３、または第１の反響部品３とは異なる第２の反響部品４に含まれている第２の打撃面４０を、第１の移動方向とは逆の第２の移動方向に打撃するように構成された第２の打撃領域５を有する。【選択図】図４
2019158873.tif 000002
【特許請求の範囲】
【請求項１】
少なくとも１つのハンマー（１）を制御する機構を備えている計時器打撃機構であって、前記ハンマーは、第１の打撃領域（２）を有し、前記少なくとも１つのハンマー（１）がはね返り位置から第１の衝突位置に動くときに、第１の打撃面（３０）上の第１の反響部品（３）を第１の移動方向に打撃するように構成され、前記少なくとも１つのハンマー（１）は、前記第１の打撃領域（２）の反対側に、前記少なくとも１つのハンマー（１）が前記第１の衝突位置から前記はね返り位置にはね返るときに、第１の反響部品（３）、または前記第１の反響部品（３）とは異なる第２の反響部品（４）に含まれている第２の打撃面（４０）を、前記第１の移動方向とは逆の第２の移動方向に、打撃するように構成された第２の打撃領域（５）を有する、計時器打撃機構において、前記第１の反響部品（３）が前記第２の打撃面（４０）を有している場合、前記第１の反響部品（３）は、前記第２の打撃面（４０）を前記第１の打撃面（３０）のすぐ近くに有して前記第２の打撃面が前記第１の反響部品（３）の厚みを介して前記第１の打撃面から隔てられているか、あるいはゴングまたはディスク状ゴング、またはベルまたはくし状のもので、前記打撃機構（１００）に含まれる固定構造（８）の第１の装着点に片持ち構成で固定され、それによって前記第１の装着点と前記第２の打撃面（４０）との間の距離は、前記第１の装着点と前記第１の打撃面（３０）との間の距離とは異なることを特徴とし、さらに、前記第２の反響部品（４）が前記第２の打撃面（４０）を有している場合、前記第１の反響部品（３）は、ゴングまたはディスク状ゴングまたはベルまたはくし状のもので、前記打撃機構（１００）の構造の第１の装着点に片持ち構成で固定され、前記第２の反響部品（４）は、ゴングまたはディスク状ゴングまたはベルまたはくし状のもので、前記打撃機構（１００）の構造の第２の装着点に片持ち構成で固定されることを特徴とする、計時器打撃機構（１００）。
【請求項２】
前記第１の反響部品（３）は、前記第１の打撃面（３０）のすぐ近くに前記第２の打撃面（４０）を有し、前記第２の打撃面は、前記第１の反響部品（３）の厚みを介して前記第１の打撃面から隔てられていることを特徴とする、請求項１に記載の打撃機構（１００）。
【請求項３】
前記第１の反響部品（３）は、ゴングまたはディスク状ゴングまたはベルまたはくし状のもので、前記打撃機構（１００）に含まれる固定構造（８）の第１の装着点に片持ち構成で固定されることと、前記第１の装着点と前記第２の打撃面（４０）との間の距離は、前記第１の装着点と前記第１の打撃面（３０）との間の距離とは異なることとを特徴とする、請求項１に記載の打撃機構（１００）。
【請求項４】
前記ハンマー（１）は、前記第１の反響部品（３）をまたいで構成された第１のフォーク（６）を有し、前記フォークは、前記第１の反響部品（３）の各側に、前記第１の打撃領域（２）および前記第２の打撃領域（５）を有することを特徴とする、請求項１に記載の打撃機構（１００）。
【請求項５】
前記ハンマー（１）は、前記第１の反響部品（３）を囲むように構成された実質的に環状の部材を有し、前記部材は、前記第１の反響部品（３）の各側に、前記第１の打撃領域（２）および前記第２の打撃領域（５）を有することを特徴とする、請求項１に記載の打撃機構（１００）。
【請求項６】
前記第１の反響部品（３）は、前記第２の打撃領域（５）を有する前記ハンマー（１）の第２の端部（７）をまたぐように構成された第２のフォーク（６０）を有し、前記第２のフォーク（６０）は、前記第２の端部（７）の各側に、前記第１の打撃面（３０）および前記第２の打撃面（４０）を有することを特徴とする、請求項１に記載の打撃機構（１００）。
【請求項７】
前記第１の反響部品（３）は、前記第２の打撃領域（５）を有する前記ハンマー（１）の第２の端部（７）をまたぐように構成された第２のフォーク（６０）を有し、前記第２のフォーク（６０）は、前記第２の端部（７）の各側に、前記第１の打撃面（３０）および前記第２の打撃面（４０）を有することを特徴とする、請求項３に記載の打撃機構（１００）。
【請求項８】
前記打撃機構（１００）は、第１の反響部品（３）とは異なる前記第２の反響部品（４）を備え、前記第２の反響部品（４）は、前記第２の打撃面（４０）を有していることと、前記第１の反響部品（３）は、ゴングまたはディスク状ゴングまたはベルまたはくし状のもので、前記打撃機構（１００）の構造の前記第１の装着点に片持ち構成で固定されることと、前記第２の反響部品（４）は、ゴングまたはディスク状ゴングまたはベルまたはくし状のもので、前記打撃機構（１００）の構造の前記第２の装着点に片持ち構成で固定されることとを特徴とする、請求項１に記載の打撃機構（１００）。
【請求項９】
前記第１の装着点および前記第２の装着点は一致していることを特徴とする、請求項８に記載の打撃機構（１００）。
【請求項１０】
前記第１の装着点および前記第２の装着点は異なっていることを特徴とする、請求項８に記載の打撃機構（１００）。
【請求項１１】
前記第２の装着点と前記第２の打撃面（４０）との間の距離は、前記第１の装着点と前記第１の打撃面（３０）との間の距離とは異なることを特徴とする、請求項８に記載の打撃機構（１００）。
【請求項１２】
前記第２の装着点と前記第２の打撃面（４０）との間の距離は、前記第１の装着点と前記第１の打撃面（３０）との間の距離と同じであることを特徴とする、請求項８に記載の打撃機構（１００）。
【請求項１３】
前記第２の反響部品（４）は、前記第１の反響部品（３）とは基本的な共鳴周波数が異なることを特徴とする、請求項８に記載の打撃機構（１００）。
【請求項１４】
前記第２の反響部品（４）は、前記第１の反響部品（３）とは基本的な共鳴周波数が同じであることを特徴とする、請求項８に記載の打撃機構（１００）。
【請求項１５】
制御機構は、少なくとも１つのアンクルレバー（１１）の動きを制御するように構成された制御歯車一式（１０）を備え、一方、前記アンクルレバーは、少なくとも１つの前記ハンマー（１）がはね返り位置から衝突位置に動く動きを制御するように構成されることを特徴とする、請求項１に記載の打撃機構（１００）。
【請求項１６】
前記制御歯車一式（１０）は、歯車（１４）を含んでいることと、前記少なくとも１つのアンクルレバー（１１）は、前記歯車（１４）と交互に噛み合う２つの突起部（１２）を有することとを特徴とする、請求項１５に記載の打撃機構（１００）。
【請求項１７】
前記少なくとも１つのアンクルレバー（１１）は、少なくとも１つの前記ハンマー（１）に少なくとも回動式に接合して、固定構造（８）に対して回動することを特徴とする、請求項１５に記載の打撃機構（１００）。
【請求項１８】
前記少なくとも１つのアンクルレバー（１１）は、少なくとも１つの前記ハンマー（１）と一体化していることを特徴とする、請求項１７に記載の打撃機構（１００）。
【請求項１９】
請求項１に記載の打撃機構（１００）、前記制御歯車一式（１０）を駆動させるためにユーザによる操作が可能なアクチュエータ（２００）、および／または前記制御歯車一式（１０）の駆動を可能にする計時器ムーブメント（１０００）を備えている計時器機構（２０００）。
【請求項２０】
請求項１９に記載の計時器ムーブメント（２０００）および／または請求項１に記載の打撃機構（１００）を備えている腕時計（３０００）。
【発明の詳細な説明】
【技術分野】
【０００１】
本発明は、少なくとも１つのハンマーを制御する機構を備えている計時器打撃機構であって、ハンマーは、第１の打撃領域を有し、少なくとも１つのハンマーがはね返り位置から第１の衝突位置に動くときに、第１の打撃面上の第１の反響部品を第１の移動方向に打撃するように構成される、計時器打撃機構に関する。
【０００２】
本発明は、このような打撃機構を含む計時器機構にも関する。
【０００３】
本発明は、このような計時器機構、および／またはこのような打撃機構を含む計時器、特に腕時計にも関する。
【０００４】
本発明は、打撃機構または報音機構、オルゴールなどの音を出す計時器機構の分野に関する。
【背景技術】
【０００５】
計時器の打撃機構または報音機構は、一般にゴングなどを打撃するハンマーを備えている。
【０００６】
ハンマーがゴングではね返ると、特にハンマーが戻る行程でプレートなどの固定部材を打撃した場合に、望ましくない雑音が生じることがある。その結果、打撃機構または報音機構によって生じた音は美しくはなく、制御もされない。
【０００７】
ＳＴＡＮＧＥの名による仏国特許第３２６５３０Ａ号（特許文献１）は、報音時計用の音の鳴る脱進機構を開示しており、この脱進機は、報音チャイムの後でのみ動作し、報音用の取り付け軸に固定されているカムディスクによって得られ、脱進機の最後の後方回転でレバーが作動し、一方レバーは、音の鳴る機構を制御する脱進機レバーに作用する。
【０００８】
ＨＡＬＬＥＲの名による仏国特許第３４９４８６Ａ号（特許文献２）は、振動するベル装置を備えている打撃テーブルまたは報音時計を開示しており、ベル装置は、制御歯車の巻き溝に係合する心棒を有する振動軸を超えたところに設けられ、歯車の回転は、ベルの揺れを決定する。
【０００９】
ＨＡＭＢＵＲＧ  ＡＭＥＲＩＫＡＮＩＳＣＨＥ  ＵＨＲＥＮＦＡＢＲＩＫの名による仏国特許第３８０４５９Ａ号（特許文献３）は、１つ以上の音響励振機の報音時計への適用が開示され、音響励振機は、膜を有する音響ホーンからなり、１つ以上のハンマーによって打撃される。この新規の種類のゴングの１つは、単一の音響励振機を有しているため、ハンマーの揺れ平面が膜に対して垂直になるように音響ホーンが前方に回転し、それによってハンマーは、ハンマーの心棒に固定されたループに入るフックによって報音時計のアンクルの軸から動き始める。このゴングの別の種類のものは、複数の音響励振機を有しているため、２対の励振機の膜は、ハンマーの前面とは反対側に置かれて連続した素早い音を出す。
【先行技術文献】
【特許文献】
【００１０】
【特許文献１】仏国特許第３２６５３０Ａ号
【特許文献２】仏国特許第３４９４８６Ａ号
【特許文献３】仏国特許第３８０４５９Ａ号
【発明の概要】
【発明が解決しようとする課題】
【００１１】
本発明は、単一のゴングまたは２つのゴングへの１回の打撃を２回の打撃に代え、２回の打撃を同じ周波数、または異なる周波数のいずれかに調整し得ることにより、ハンマーのはね返りに関する望ましくない雑音を除去することを提案する。
【課題を解決するための手段】
【００１２】
このために、本発明は、請求項１に記載の打撃機構に関する。
【００１３】
本発明は、このような打撃機構を含む計時器機構にも関する。
【００１４】
本発明は、このような計時器機構および／またはこのような打撃機構を含む計時器、特に腕時計にも関する。
【００１５】
本発明のその他の特徴および利点は、添付の図面を参照して以下の詳細な説明を読むことで明らかになるであろう。
【図面の簡単な説明】
【００１６】
【図１】本発明の第１の代替例による打撃機構の概略平面図である。
【図２】図１の機構の詳細部の斜視図である。
【図３】本発明の第２の代替例による打撃機構を図１と同じように示した図である。
【図４】本発明の第３の代替例による打撃機構を図１と同じように示した図である。
【図５】計時器機構を含み、ユーザが操作するように構成されている計時器ムーブメントおよび／またはアクチュエータによって制御されるような打撃機構を備えている計時器、特に腕時計のブロック図である。
【発明を実施するための形態】
【００１７】
ハンマーがゴングではね返る際の悪影響を避けるため、第１の代替例は、ゴングを両方の運動方向に打撃するハンマーを形成することからなる。このようなハンマーは、例えばゴングをまたいだ状態であってよい。第１の反時計回り方向では、ハンマーは、ハンマーの第１の打撃領域を通ってゴングを従来の構造のように打撃する。第１の方向とは逆の第２の方向では、ハンマーは、同じく同じゴングを打撃するが、第１の打撃領域とは異なり反対側にあるハンマーの第２の打撃領域を通して打撃する。
【００１８】
第２の代替例は、主要ゴングの別の要素、例えば第２の分岐部を配置することからなり、それによってハンマーの両方の回転方向に打撃が起こる。
【００１９】
第２の変形例は、２つの打撃動作ゴングをハンマーの両側に１つずつ構成することからなる。各ゴングは、ハンマーの異なる方向から作動する。この解決策は、２つのゴングが音響的に異なるように選定されているときに、２つの異なる音を生成したい場合に有利である。
【００２０】
このように、本発明は、少なくとも１つのハンマー１を制御する機構を含む計時器の打撃機構１００に関する。
【００２１】
「打撃機構」とは、広義には、音を出す何らかの計時器機構を意味し、打撃機構または報音機構、オルゴールなどである。
【００２２】
この少なくとも１つのハンマー１は、第１の打撃領域２を有し、少なくとも１つのハンマー１がはね返り位置から第１の衝突位置に動くときに、第１の打撃領域の第１の打撃面３０にある第１の反響部品３を第１の移動方向に打撃するように構成される。
【００２３】
この少なくとも１つのハンマー１は、第１の打撃領域２の反対側に、第２の打撃領域５を有し、少なくとも１つのハンマー１が第１の衝突位置からはね返り位置にはね返るときに、第１の変形例の第１の反響部品３、または第１の反響部品３とは異なる第２の変形例の第２の反響部品４に含まれている第２の打撃面４０を、第１の移動方向とは逆の第２の移動方向に打撃するように構成される。
【００２４】
第１の反響部品３または第２の反響部品４は、通常のゴング形態で図に非限定的に示されている。反響部品は、ディスク状ゴング、ベル、くし状のものなどで構成されていてもよい。さらに詳細には、この第１の反響部品３、および／またはこの第２の反響部品４は、ゴングまたはディスク状ゴングまたはベルまたはくし状のものであり、打撃機構１００に含まれている固定構造８の第１の装着点または第２の装着点に片持ち構成でそれぞれが固定される。
【００２５】
さらに詳細には、制御機構は、少なくとも１つのハンマー１の動きを直接または間接的に制御するように構成された制御歯車一式１０を備えている。
【００２６】
第１の変形例では、第１の反響部品３は、第２の打撃面４０を有する。
【００２７】
この第１の変形例の第１の実施形態では、この第２の打撃面４０は、第１の打撃面３０のすぐ近くにあり、第２の打撃面は、図１〜図３に見られるように、第１の反響部品３の厚みを介して第１の打撃面から隔てられている。
【００２８】
この第１の変形例の第２の実施形態では、第１の装着点と第２の打撃面４０との間の距離は、この同じ第１の装着点と第１の打撃面３０との間の距離とは異なる。
【００２９】
第１の代替例によれば、図１および図２に見られるように、ハンマー１は、第１のフォーク６を有し、このフォークは、第１の反響部品３をまたいで構成され、第１の反響部品３の各側に、第１の打撃領域２および第２の打撃領域５を有する。
【００３０】
別の実施形態では、ハンマー１は、第１の反響部品３を囲むように構成された実質的に環状の部材を有し、この部材は、第１の反響部品３の各側に、第１の打撃領域２および第２の打撃領域５を有する。
【００３１】
第２の代替例によれば、第１の反響部品３は、第２の打撃領域５を有するハンマー１の第２の端部７をまたぐように構成されている第２のフォーク６０を有し、第２のフォーク６０は、第２の端部７の各側に、第１の打撃面３０および第２の打撃面４０を有する。さらに詳細には、図３に見られるように、ハンマー１はＵ字を形成し、Ｕ字の各分枝部は打撃領域を有する。
【００３２】
第２の変形例によれば、打撃機構１００は、第２の打撃面４０を有する第２の反響部品４を有する。
【００３３】
特定の実施形態では、第１の装着点と第２の装着点は一致している。
【００３４】
別の特定の実施形態では、第１の装着点と第２の装着点は異なっている。
【００３５】
別の特定の実施形態では、第２の装着点と第２の打撃面４０との間の距離は、第１の装着点と第１の打撃面３０との間の距離とは異なる。
【００３６】
さらに別の特定の実施形態では、第２の装着点と第２の打撃面４０との間の距離は、第１の装着点と第１の打撃面３０との間の距離と同じである。
【００３７】
特定の実施形態では、第２の反響部品４は、第１の反響部品３とは基本的な共鳴周波数が異なる。
【００３８】
さらに別の特定の実施形態では、第２の反響部品４は、第１の反響部品３とは基本的な共鳴周波数が同じである。
【００３９】
さらに詳細には、制御歯車一式１０は、少なくとも１つのアンクルレバー１１の動きを制御するように構成され、一方、アンクルレバーは、少なくとも１つのハンマー１がはね返り位置から衝突位置に動く動きを制御するように構成される。特定の特徴によれば、制御歯車一式１０は、歯車１４を有し、この少なくとも１つのアンクルレバー１１は、複数の突起部１２を有し、各突起部は、歯車１４に含まれる歯１３のうちの１つと協働するように構成される。さらに詳細には、この少なくとも１つのアンクルレバー１１は、歯車１４と交互に噛み合う２つの突起部１２を有する。
【００４０】
特定の実施形態では、少なくとも１つの留め部品１１は、少なくとも１つのハンマー１と少なくとも回動式に接合して、プレート、ブリッジなどの固定構造８に対して回動する。またさらに詳細には、少なくとも１つのアンクルレバー１１は、少なくとも１つのハンマー１と一体化している。
【００４１】
本発明は、このような打撃機構１００を含んでいる計時器ムーブメント２０００にも関する。さらに詳細には、この機構２０００は、制御歯車一式１０を駆動させるためにユーザによる操作が可能なアクチュエータ２００を備え、かつ／または制御歯車一式１０の駆動を可能にする計時器ムーブメント１０００を備えている。
【００４２】
本発明は、このような打撃機構２０００、および／またはこのような打撃機構１００を備えている計時器ムーブメント３０００にも関する。さらに詳細には、この計時器３０００は腕時計である。
【００４３】
本発明は、ハンマーがはね返るときのエネルギー損失を回避する。すなわち、エネルギーは、ハンマーが回転方向を変えた後に回復して打撃機構の音レベルを上げる。
【００４４】
構造の異なる変形例は、ハンマーおよびプレートが互いに衝突することから保護する
【符号の説明】
【００４５】
１  ハンマー
２  第１の打撃領域
３  第１の反響部品
４  第２の反響部品
５  第２の打撃領域
６  第１のフォーク
７  第２の端部
８  固定構造
１０  制御歯車一式
１１  アンクルレバー
１２  突起部
１３  歯
１４  歯車
３０  第１の打撃面
４０  第２の打撃面
６０  第２のフォーク
１００  打撃機構
２００  アクチュエータ
１０００  計時器ムーブメント
２０００  計時器ムーブメント
３０００  計時器ムーブメント
【図１】
2019158873.tif 000003
【図２】
2019158873.tif 000004
【図３】
2019158873.tif 000005
【図４】
2019158873.tif 000006
【図５】
2019158873.tif 000007